(57)【要約】【課題】立体ギャザーの高さを容易に高くできる吸収性パッドを提供する。【解決手段】吸収性パッド１０は防漏カフ用シート１４を有し、防漏カフ用シート１４は基端部１６ｂと自由端部１６ａを有する防漏カフ１６を形成する。パッド１０は、左右両側域における股下部Ｃに、表面シート１１が、該表面シート１１上面側に向けて折り返された折り返し部１８を有する。折り返し部１８においては、表面シート１１どうしが接合部１９において接合されている。折り返しを行う前の半製品１０’においては、防漏カフ１６の基端部１６ｂが表面シート１１上に位置し、かつ防漏カフ用シート１４の腹側部Ａ及び背側部Ｂにおける接合領域の幅方向内方端部１７の位置が、股下部Ｃにおける基端部１６ｂの位置よりも幅方向内方に位置している。接合部１９は、腹側部Ａ及び背側部Ｂにおける幅方向内方端部１７の位置と同位置にあるか、又はその位置よりも幅方向内方に位置している。【選択図】図４
2014083132.tif 000002
【特許請求の範囲】
【請求項１】
長手方向及びそれと直交する幅方向を有し、長手方向の中央域に位置する股下部、並びに該股下部から長手方向の前後に向けて延出する腹側部及び背側部を備え、肌に近い側に位置する表面シート、肌から遠い側に位置する裏面シート、及び両シート間に配置された液吸収性の吸収体を具備する吸収性パッドであって、
前記長手方向に沿う左右両側域に、防漏カフ用シートを有し、
前記防漏カフ用シートは少なくとも前記股下部において基端部と自由端部とを有する一対の防漏カフを形成し、
前記防漏カフの前記長手方向における延長線上であって、少なくとも前記腹側部及び前記背側部の一部において、前記防漏カフ用シートは接合領域を有し、
前記パッドは、前記長手方向に延びる左右両側域における少なくとも前記股下部に、少なくとも前記表面シートが、該表面シート上面側に向けて折り返された折り返し部を有し、
前記折り返し部においては、前記表面シートどうしが折り返されて対向当接している折り返し内部を有し、
前記折り返し内部においては、前記表面シートどうしが接合部において接合されており、
前記折り返しを行う前の半製品においては、前記防漏カフの前記基端部が、前記表面シート上に位置するとともに前記長手方向に延びており、かつ前記腹側部及び前記背側部における前記接合領域の幅方向内方端部の位置が、前記股下部における該基端部の位置よりも前記幅方向内方に位置しており、
前記折り返しを行った後の前記パッドにおいては、前記折り返し部の前記接合部は、前記腹側部及び前記背側部における前記接合領域の前記幅方向内方端部の位置と同位置にあるか、又は該防漏カフの該基端部の位置よりも前記幅方向内方に位置している吸収性パッド。
【請求項２】
前記パッドは、前記長手方向に延びる左右両側域における少なくとも前記股下部に、前記表面シート、前記吸収体及び前記裏面シートが、該表面シート上面側に向けて折り返された前記折り返し部を有する請求項１に記載の吸収性パッド。
【請求項３】
前記折り返し内部に前記防漏カフを形成するシートが存在していない請求項１又は２に記載の吸収性パッド。
【請求項４】
前記吸収体は、前記長手方向に延びる折曲誘導部を有する請求項１ないし３のいずれか一項に記載の吸収性パッド。
【請求項５】
前記吸収体が前記折曲誘導部に沿って折り曲げられて前記折り返し部が形成されている請求項４に記載の吸収性パッド。
【請求項６】
前記折曲誘導部とは別に、前記吸収体の幅方向略中央部に、前記長手方向に延びる中央折曲誘導部を有する請求項４又は５に記載の吸収性パッド。
【発明の詳細な説明】
【技術分野】
【０００１】
本発明は、尿取りパッド、失禁用吸水ナプキン等の吸収性パッドに関する。
【背景技術】
【０００２】
吸収体における長手方向に延びる左右両側域を、吸収体の上面内側に向けて折り返すことで、左右両側域における吸収体の厚みを増して、左右両側縁からの液の横漏れを防止するようにした吸収性物品が種々知られている（特許文献１ないし４参照）。これらの吸収性物品によれば、折り返されて厚みを増した部位が、液漏れに対する堰としての機能をある程度発現する。
【０００３】
特許文献２や３には、吸収体の折り返し部よりも、幅方向の内側又は外側に立体ギャザーを設けて、液の横漏れを一層防止することが記載されている。
【先行技術文献】
【特許文献】
【０００４】
【特許文献１】特開平２−１１１３６１号公報
【特許文献２】特開平５−４９６５８号公報
【特許文献３】実開平６−９６２５号公報
【特許文献４】特開２０１１−１３６０９４号公報
【発明の概要】
【発明が解決しようとする課題】
【０００５】
特許文献１ないし４の構成の吸収性物品においては、表面シートの表面を伝って流れる尿や流動性の高い軟便の漏れを防止することは容易でない。また、特許文献２や３においては、立体ギャザーの方が折り返された吸収体よりも高ければ、吸収体を折り返す意義が薄くなり、逆に折り返された吸収体の方が立体ギャザーよりも高ければ、立体ギャザーを設ける意義が薄くなる。つまり、吸収体を折り返して厚みを増すことと、立体ギャザーを設けることとの相乗効果は期待できない。したがって本発明は、前述した従来技術が有する欠点を解消し得る吸収性パッドに関する。
【課題を解決するための手段】
【０００６】
本発明は、長手方向及びそれと直交する幅方向を有し、長手方向の中央域に位置する股下部、並びに該股下部から長手方向の前後に向けて延出する腹側部及び背側部を備え、肌に近い側に位置する表面シート、肌から遠い側に位置する裏面シート、及び両シート間に配置された液吸収性の吸収体を具備する吸収性パッドであって、
前記長手方向に沿う左右両側域に、防漏カフ用シートを有し、
前記防漏カフ用シートは少なくとも前記股下部において基端部と自由端部とを有する一対の防漏カフを形成し、
前記防漏カフの前記長手方向における延長線上であって、少なくとも前記腹側部及び前記背側部の一部において、前記防漏カフ用シートは接合領域を有し、
前記パッドは、前記長手方向に延びる左右両側域における少なくとも前記股下部に、少なくとも前記表面シートが、該表面シート上面側に向けて折り返された折り返し部を有し、
前記折り返し部においては、前記表面シートどうしが折り返されて対向当接している折り返し内部を有し、
前記折り返し内部においては、前記表面シートどうしが接合部において接合されており、
前記折り返しを行う前の半製品においては、前記防漏カフの前記基端部が、前記表面シート上に位置するとともに前記長手方向に延びており、かつ前記腹側部及び前記背側部における前記接合領域の幅方向内方端部の位置が、前記股下部における該基端部の位置よりも前記幅方向内方に位置しており、
前記折り返しを行った後の前記パッドにおいては、前記折り返し部の前記接合部は、前記腹側部及び前記背側部における前記接合領域の前記幅方向内方端部の位置と同位置にあるか、又は該防漏カフの該基端部の位置よりも前記幅方向内方に位置している吸収性パッドを提供するものである。
【発明の効果】
【０００７】
本発明によれば、立体ギャザーの高さを容易に高くすることができ、表面シートを伝って流れてくる尿や、流動性の高い軟便等が横漏れすることを効果的に防止できる。
【図面の簡単な説明】
【０００８】
【図１】図１は、本発明の吸収性パッドの一実施形態としての尿取りパッドの半製品状態の平面図である。
【図２】図２は、図１におけるII−II線断面図である。
【図３】図３は、図１における防漏カフ用シートの接合領域をハッチングで示す図である。
【図４】図４は、図１に示す半製品パッドから形成された尿取りパッドの股下部における幅方向の断面図である。
【図５】図５は、図４に示す尿取りパッドの装着状態での股下部における幅方向の断面図である。
【図６】図６は、本発明の別の実施形態の尿取りパッドの股下部における幅方向の断面図（図４相当図）である。
【図７】図７（ａ）は、本発明の別の実施形態の尿取りパッドの半製品状態での股下部における幅方向断面図（図２相当図）であり、図７（ｂ）は、本発明の別の実施形態の尿取りパッドの半製品状態での腹側部及び背側部における幅方向断面図である。
【発明を実施するための形態】
【０００９】
以下本発明を、その好ましい実施形態に基づき図面を参照しながら説明する。図１には、本発明の吸収性パッドの一実施形態としての尿取りパッドが示されている。図２は、図１におけるII−II線断面図である。なお、図１及び図２は、後述する折り返し部を形成する前の半製品状態の尿取りパッドを示すものである。本実施形態の尿取りパッドの実際の形態については後述する。本実施形態の尿取りパッドは、折り返し部を有する点において半製品パッドと相違し、それ以外の点については両者の構成は同じになっている。したがって、特に断らない限り、以下に述べる半製品パッドに関する説明は、目的とする尿取りパッドにも同様に適用される。尿取りパッドは、それ単独で使用されるか、又は使い捨ておむつの表面シート上に載置された状態で、使い捨ておむつと併用されるものである。
【００１０】
図１及び図２に示すとおり、半製品パッド１０’は、長手方向Ｙ及びそれと直交する幅方向Ｘを有し、長手方向Ｙに長い形状を有している。半製品パッド１０’は、長手方向Ｙに延びる中心線（図示せず）に対して左右が対称形をしている。半製品パッド１０’は、その長手方向Ｙの中央域が股下部Ｃとなっている。股下部Ｃの前後は、腹側部Ａ及び背側部Ｂとなっている。股下部Ｃは、尿取りパッドの着用状態において、着用者の股間に位置する部位である。腹側部Ａ及び背側部Ｂは、尿取りパッドの着用状態において、着用者の股間よりも腹側寄り及び背側寄りに位置する部位である。
【００１１】
半製品パッド１０’は、着用者の肌に近い側、すなわち肌当接面側に位置する表面シート１１と、着用者の肌から遠い側、すなわち非肌当接面側に位置する裏面シート１２を備えている。表面シート１１と裏面シート１２との間には吸収体１３が位置している。表面シート１１は、吸収体１３の上面側、すなわち着用者の肌対向面側の全域を被覆している。そして表面シート１１は、吸収体１３の長手方向に沿う左右の両側縁から外方に延出し、その延出部分が下方に向けて巻き込まれている。一方、裏面シート１２は、吸収体１３の下面側、すなわち裏面シート１２との対向面側の全域を被覆している。裏面シート１２は、吸収体１３の長手方向に沿う左右の両側縁から外方に延出している。その延出部分は、後述する防漏カフ用シート１４と接合されてサイドフラップＦを形成している。
【００１２】
表面シート１１としては液透過性を有するシート材が用いられる。例えば各種不織布に親水化処理を施したものや、穿孔フィルムなどを用いることができる。尿取りパッドが使い捨ておむつと併用される場合は、裏面シート１２としては、表面シート１１と同様のシート材を用いることができる。尿取りパッドが単独で使用される場合は、裏面シート１２としては、液不透過性ないし液難透過性のフィルムや不織布（例えばスパンボンド−メルトブローン−スパンボンド不織布）を用いることができる。裏面シート１２は水蒸気透過性であることが好ましい。水蒸気透過性を有する裏面シート１２としては、例えば熱可塑性樹脂及び該樹脂と相溶性を有しない固体粒子とを含むフィルムを一軸又は二軸延伸してなる多孔性フィルムを用いることができる。吸収体１３は一般に、フラッフパルプ等の親水性繊維の積繊体や、該親水性繊維と高吸収性ポリマーとを含む積繊体からなる吸収コアと、該吸収コアを被覆する液透過性被覆シートから構成される。
【００１３】
吸収体１３は、長手方向Ｙに沿って延びる細長い一対のサイド開口部１３ａ，１３ａを有している。サイド開口部１３ａは、吸収体１３の長手方向Ｙに延びる中心線（図示せず）に対して対称な位置に形成されている。また吸収体１３は、一対のサイド開口部１３ａ，１３ａの間に、長手方向Ｙに沿って延びる細長い中央開口部１３ｂも有している。中央開口部１３ｂは、吸収体１３の幅方向Ｘの略中央部に位置している。サイド開口部１３ａ及び中央開口部１３ｂはいずれも、吸収体１３をその厚み方向に貫通させて形成されており、これらの開口部１３ａ，１３ｂには、吸収コアを構成する材料は存在していない。サイド開口部１３ａ及び中央開口部１３ｂは、後述するとおり、吸収体１３の折曲誘導部として作用するものである。すなわち、これらの開口部１３ａ，１３ｂが折りの可撓軸として作用し、吸収体１３は開口部１３ａ，１３ｂに沿って折れ曲がりやすくなる。この観点から、開口部１３ａ，１３ｂの幅は、本実施形態の尿取りパッドが成人用のものである場合、それぞれ独立に、好ましくは５ｍｍ以上、更に好ましくは１０ｍｍ以上とすることができる。上限値は好ましくは１００ｍｍ以下、更に好ましくは５０ｍｍ以下とすることができる。同様の観点から、開口部１３ａ，１３ｂの長さは、本実施形態の尿取りパッドが成人用のものである場合、それぞれ独立に、好ましくは５０ｍｍ以上、更に好ましくは１００ｍｍ以上とすることができる。上限値は好ましくは３００ｍｍ以下、更に好ましくは１５０ｍｍ以下とすることができる。
【００１４】
上述した開口部１３ａ，１３ｂが、折りの可撓軸として作用するために用いられるものであることを考慮すると、吸収体１３に開口部１３ａ，１３ｂを形成することに代えて、折曲誘導部として作用する細長い溝状の低坪量部や細長い溝状の圧搾部を形成してもよい。これら低坪量部や圧搾部は、吸収体１３の長手方向Ｙに沿って連続又は不連続に形成することができる。
【００１５】
サイド開口部１３ａは、少なくとも股下部Ｃの長さにわたって形成されている。サイド開口部１３ａの長手方向の前端縁及び後端端は、股下部Ｃを超えて腹側部Ａ及び背側部Ｂにまで達していてもよい。同様に、中央開口部１３ｂは、少なくとも股下部Ｃの長さにわたって形成されている。中央開口部１３ｂの長手方向の前端縁及び後端端は、股下部Ｃを超えて腹側部Ａ及び背側部Ｂにまで達していてもよい。サイド開口部１３ａと中央開口部１３ｂとはそれらの長さが同じであってもよく、あるいは異なっていてもよい。図１には、中央開口部１３ｂの方がサイド開口部１３ａよりも長くなっている形態が示されている。
【００１６】
半製品パッド１０’における着用者の肌対向面側には、表面シート１１上に防漏カフ用シート１４が配置されている。防漏カフ用シート１４は、縦長の形状を有するものであり、その長手方向を、半製品パッド１０’の長手方向Ｙと一致させて、半製品パッド１０’の幅方向Ｘにおける左右両側域の位置に配置されている。防漏カフ用シート１４は一般に１枚のシート材から構成することができるが、必要に応じ１枚のシートを二つ折りして２プライにした状態で使用することもでき、あるいは、種類の異なる２枚以上のシート材をラミネートしたものを使用することができる。防漏カフ用シート１４としては、例えば液難透過性の１枚の不織布又は複数種の不織布のラミネートを用いることができる。具体的には、スパンボンド不織布やメルトブローン不織布、スパンボンド−メルトブローン−スパンボンド不織布を用いることができる。
【００１７】
防漏カフ用シート１４は、その一部が表面シート１１の一部と接合されている。また、防漏カフシート１４は、その一部が裏面シート１２の一部とも接合されている。図３には、防漏カフ用シート１４と、表面シート１１及び裏面シート１２とが接合されている領域が、ハッチングで示されている。同図に示すとおり、防漏カフ用シート１４は、長手方向Ｙに沿って半製品パッド１０’の全長にわたっている外方側接合領域１５ａと、腹側部Ａの端部域及び背側部Ｂの端部域において長手方向に沿って延びる内方側接合領域１５ｂとによって、表面シート１１及び裏面シート１２に接合されている。外方側接合領域１５ａは、内方側接合領域１５ｂよりも幅方向Ｘの外方に位置している。
【００１８】
内方側接合領域１５ｂにおいては、防漏カフ用シート１４は、主として表面シート１１と接合している。一方、外方側接合領域１５ａにおいては、防漏カフ用シート１４は、表面シート１１及び裏面シート１２と接合している。そして防漏カフ用シート１４が表面シート１２と接合している領域によって、上述したサイドフラップＦ（図２参照）が形成されている。
【００１９】
図３に示すとおり、防漏カフ用シート１４においては、長手方向Ｙに関して、腹側部Ａの内方側接合領域１５ｂと、背側部Ｂの内方側接合領域１５ｂとの間の領域１６が非接合状態になっている。この領域１６が防漏カフとして作用する。詳細には、前記領域１６は、長手方向Ｙに延びる細長い領域であるところ、この領域１６における幅方向Ｘの内方側の側縁１６ａが、防漏カフ１６の自由端部となる。一方、前記領域１６における幅方向Ｘの外方側の側縁１６ｂが、防漏カフ１６が着用者の肌側に向けて立ち上がる基端部となる。防漏カフ１６の立ち上がりを確実なものとし、かつ液の横漏れを効果的に防止する観点から、自由端部１６ａの近傍に、長手方向Ｙに延びる弾性部材１６ｃを伸長状態で接合固定することが有利である。
【００２０】
以上のとおり、半製品パッド１０’の防漏カフ用シート１４は、腹側部Ａの内方側接合領域１５ｂと、背側部Ｂの内方側接合領域１５ｂとの間において、幅方向Ｘの内方側に位置する自由端部１６ａと、幅方向Ｘの外方側に位置する基端部１６ｂとを有している。一方、防漏カフ用シート１４は、防漏カフ１６の長手方向Ｙにおける延長線上であって、腹側部Ａの内方側接合領域１５ｂ、及び背側部Ｂの内方側接合領域１５ｂにおいて、幅方向Ｘの内方側に幅方向内方端部１７を有しているのみであり、自由端部は有していない。そして防漏カフ用シート１４は、腹側部Ａ及び背側部Ｂにおける内方側接合領域１５ｂの幅方向内方端部１７の位置が、股下部Ｃにおける基端部１６ｂの位置よりも幅方向Ｘの内方に位置している。腹側部Ａ及び背側部Ｂにおける内方側接合領域１５ｂの幅方向内方端部１７の位置は、防漏カフ１６に取り付けられている弾性部材１６ｃの固定位置と幅方向Ｘにおいて略同位置になっている。
【００２１】
以上の構成を有する半製品パッド１０’を、長手方向Ｙに延びる左右の両側域を、該長手方向Ｙを折り線として表面シート１１の上面側に向けて折り返して折り返し部を形成することで、目的とする尿取りパッド１０の形態が完成する。この折り返しの詳細を、図４を参照しながら説明する。
【００２２】
半製品パッド１０’の折り返しに際しては、長手方向Ｙに延びる折り線として、上述したサイド開口部１３ａを利用する。吸収体１３のうち、サイド開口部１３ａを通る長手方向Ｙに延びる部位は、該サイド開口部１３ａの存在によって折れ曲がりやすくなっている。つまり折れ曲がりの可撓軸として作用する。この作用を利用して、図４に示すとおり、サイド開口部１３ａよりも幅方向Ｘの外方に位置する表面シート１１、吸収体１３及び裏面シート１２を、表面シート１１の上面側に折り返す。この折り返しは、半製品パッド１０’の少なくとも股下部Ｃにおいて行うことが好ましく、これに加えて腹側部Ａ及び背側部Ｂの少なくとも一方において行ってもよい。
【００２３】
サイド開口部１３ａよりも幅方向Ｘの外方に位置する吸収体１３を折り返すことで、図４に示すとおり、尿取りパッド１０においては、該パッド１０の幅方向Ｘにおける左右の両側域に、吸収体１３が二段重ねになった部位が形成される。この二段重ねになった部位は、パッド１０の股下部Ｃのみに形成されることが好ましい。この二段重ねになった部位は、吸収体１３における他の部位、例えば幅方向Ｘの中央域よりも厚みが大きくなっている。その結果、この二段重ねになった部位が、尿取りパッド１０の幅方向Ｘにおける左右の両側域に形成されることで、当該部位が液の横漏れに対する堰として作用するので、横漏れが効果的に防止される。しかも、尿取りパッド１０においては、折り返し前の半製品パッド１０’に比べて、折り返した分だけ幅が狭くなる。このことは、尿取りパッド１０が着用者の股間にフィットしやすくなる点から有利である。また、腹側部Ａ及び背側部Ｂにおいては折り返しがなされない場合には、装着者に腹部や臀部の違和感を与えることがないので好ましい。
【００２４】
上述の折り返しによって形成された折り返し部１８は、折り返された表面シート１１どうしが対向当接している。この表面シート１１どうしが対向当接している領域を折り返し内部と呼び、当該折り返し内部において、表面シート１１どうしを接合部１９において接合する。接合部１９は、折り返し内部において、少なくとも一点設けられていれば良い。更に、接合部１９は、尿取りパッド１０の長手方向に延びるように形成することが好ましい。接合部１９は、半製品パッド１０’が長手方向Ｙに沿って折り返された長さと同じ長さで形成されることが更に好ましい。また接合部１９は、直線状又は曲線状に連続又は不連続に延びるように形成される。接合部１９の形成には、例えば接着剤による接着や融着など、当該技術分野における公知の接合方法を採用することができる。
【００２５】
折り返し内部においては、対向当接しているすべての部位が接合されて接合部１９が形成されていてもよく、あるいは図４に示すとおり、対向当接している部位のうちの一部が接合されて接合部１９が形成されていてもよい。接合されている程度は、対向当接している面積に対して５％以上とすることが好ましく、２０％以上とすることが更に好ましい。上限値に関しては、対向当接している面積の全域、すなわち１００％であってもよく、あるいはそれよりも小さい値、例えば好ましくは９０％以下、特に好ましくは８０％以下としてもよい。
【００２６】
図４に示すとおり、半製品パッド１０’の左右両側域が長手方向Ｙに沿って折り返された状態においては、防漏カフ１６を形成する防漏カフ用シート１４は、尿取りパッド１０の肌対向面側に位置している。換言すれば、防漏カフ用シート１４は折り返し内部に非存在の状態になっている。そして、防漏カフ１６は、その基端部１６ｂが、折り返されて二段重ねになっている吸収体１３上に位置している。したがって基端部１６ｂの位置は、折り返し前の半製品パッド１０’における基端部１６ｂの位置に比べて、折り返された表面シート１１、吸収体１３及び裏面シートの厚さの分だけ高くなる。その結果、表面シート１１における幅方向Ｘの中央域を基準としたときに、防漏カフ１６の自由端部１６ａまでの高さは、折り返し前の半製品パッド１０’に比べて高くなる。このことによって、表面シート１１の表面を伝って横方向に流れてきた液や流動性の高い軟便が、高さが増した防漏カフ１６によって、それ以上横方向へ伝い流れすることが効果的に阻止される。吸収体１３を二段重ねにするだけでは、横方向へ伝い流れする液を効果的に阻止することは容易ではないが、二段重ねされた吸収体上に防漏カフ１６を形成することで、横方向へ伝い流れする液を効果的に阻止することが可能となる。
【００２７】
折り返し後の防漏カフ１６の高さを確実に増加するようにするために、尿取りパッド１０を幅方向Ｘに沿って見たときに、折り返し部１８の接合部１９が、パッド１０の腹側部Ａ及び背側部Ｂにおける内方側接合領域１５ｂの幅方向内方端部１７の位置と同位置にあるか、又は内方側接合領域１５ｂの幅方向内方端部１７の位置よりも幅方向Ｘの内方に位置していることが有利である。このような位置関係は、少なくとも股下部Ｃにおいて満たされれば所期の目的は達成される。また、長手方向Ｙに延びる接合部１９の長さ方向全域において満たされることが好ましい。更に、折り返し部１８が股下部Ｃのみに形成されており、かつ、その長手方向Ｙに延びる接合部１９の長さ方向全域において満たされることが最も好ましい。
【００２８】
しかも、上述の位置関係が満たされることで、半製品パッド１０’の左右両側域を折り返した後の防漏カフ１６は表面シート１１の中央域に対して略直立した状態で起立するか、又は基端部１６ｂの位置よりも、自由端部１６ａの位置の方が幅方向Ｘの外方となるように外開きした状態で起立するようになる。その結果、防漏カフ１６が着用者の鼠蹊部に一層フィットしやすくなり、該防漏カフ１６が肌に密着して液の横漏れが一層効果的に防止される。
【００２９】
図５には、図４に示す状態の尿取りパッド１０を着用者に着用させた状態が示されている。図４に示す実施形態の尿取りパッド１０を、着用者に着用させると、パッド１０の幅方向Ｘに沿って内方へ向けての圧縮力を着用者の股間から受ける。この圧縮力に起因してパッド１０の吸収体１３が、幅方向Ｘの略中央部の位置において着用者の身体側に向けて略山型に隆起するように変形する。このとき、吸収体１３の幅方向Ｘの略中央部に、上述した中央開口部１３ｂが形成されていると、該中央開口部１３ｂが折曲誘導部として作用して、着用者の身体側に向けての吸収体１３の隆起が一層起こりやすくなる。このように変形したパッド１０は、着用者の排泄部にぴったりとフィットするようになるので、このことによっても、液漏れが効果的に防止される。
【００３０】
図６には、これまで説明してきた尿取りパッドの別の実施形態が示されている。同図に示す尿取りパッド１０は、これまで説明してきた尿取りパッドと、折り返し部１８の構造が相違している。詳細には、本実施形態のパッド１０においては、吸収体１３のうち、サイド開口部１３ａよりも幅方向Ｘの外方に位置する部分である側方吸収体２０が、表面シート１１及び裏面シート１２とともに、表面シート１１の上面側に向けて折り返されている。更に、折り返された側方吸収体２０のうち、側縁寄りに位置する部位２０ａが、表面シート１１及び裏面シート１２とともに、幅方向Ｘの外方に向けて折り返され、サイド開口部１３ａ寄りに位置する部位２０ｂの上に重ねられている。つまり、側方吸収体２０が長手方向Ｙに沿って二つ折りされている。したがって、本実施形態のパッド１０においては、幅方向Ｘの左右両側域が、吸収体１３を三段重ねした構造になっている。そして防漏カフ１６は、その基端部１６ｂが、二重に折り返されて三段重ねになっている吸収体１３上に位置している。表面シートどうしが折り返されて対向当接している折り返し内部には防漏カフ用シートは非存在の状態になっている。なお、本実施形態で用いられる半製品パッドは、図１及び図２に示す半製品パッドと異なり、防漏カフの立ち上がり位置、すなわち基端部が吸収体上にある。
【００３１】
吸収体１３のうち、サイド開口部１３ａよりも幅方向Ｘの外方に位置する部分である側方吸収体２０は、パッド１０の股下部Ｃのみで二つ折りされていることが好ましい。
【００３２】
本実施形態によれば、先に述べた実施形態に比べて、折り返された構造の吸収体１３の厚みを大きくすることができるので、該吸収体１３による液の堰き止め効果が一層高くなる。しかも、三段重ねになった吸収体１３上に防漏カフ１６の基端部１６ｂが位置しているので、表面シート１１における幅方向Ｘの中央域を基準としたときに、防漏カフ１６の自由端部１６ａまでの高さは、先に述べた実施形態よりも高くなる。これによって、横方向へ伝い流れする液の防漏効果が一層高くなる。
【００３３】
本実施形態においては上述のとおり、側方吸収体２０が長手方向Ｙに沿って二つ折りされている。この折り返し内部では、折り返された裏面シート１２どうしが対向当接している。この対向当接している裏面シート１２どうしは、少なくとも一部が接合されていればよい。更に、その対向当接領域のすべてが接合されていることが好ましく、当該当接領域及び接合が領域Ｃのみに設けられていることが更に好ましい。いずれの場合であっても、接合部は長手方向Ｙに沿って延びるように形成されている。
【００３４】
これまでに説明してきた実施形態では、半製品パッド１０’における防漏カフ１６が、幅方向Ｘの内方寄りの位置に自由端部１６ａを有し、かつ外方寄りの位置に基端部１６ｂを有していたが、これに代えて自由端部１６ａの位置と、基端部１６ｂの位置とを、幅方向Ｘにおいて入れ替えてもよい。具体的には図７（ａ）及び（ｂ）に示すとおりに防漏カフ用シート１４を配置する。この配置の状態を以下に詳述する。
【００３５】
図７（ａ）に示すとおり、長手方向Ｙに長い防漏カフ用シート１４を、該長手方向Ｙに延びる折り線２１に沿って二つ折りするとともに、該折り線２１が該防漏カフ用シート１４の側縁よりも幅方向Ｘの内方に位置するように表面シート１１上に配置する。そして、二つ折りされた防漏カフ用シート１４のうち、表面シート１１と対向する側の半部２２ａを、該表面シート１１、及び裏面シート１２のうち、吸収体１３の側縁から延出した部位と接合する。接合部位は、長手方向Ｙに関しては、少なくとも股下部Ｃの全長にわたっている。幅方向Ｘに関しては、図７（ａ）において符号２３で示される領域である。この領域２３における幅方向Ｘの内方端が、防漏カフ１６の基端部１６ｂとなる。腹側部Ａ及び背側部Ｂにおいては、これらの部位の前後端部域において、図７（ｂ）に示すとおり、半部２２ａは、該半部２２ａと対向している表面シート１１の全域と接合している。
【００３６】
一方、二つ折りされた防漏カフ用シート１４のうち、着用者の身体と対向する側の半部２２ｂについての接合状態は次のとおりである。すなわち、股下部Ｃについては、該半部２２ｂは、図７（ａ）に示すとおり何らの部材とも接合していない非接合状態になっている。したがって、該半部２２ｂの側縁、すなわち弾性部材１６ｃが配置されている部位が防漏カフ１６の自由端部１６ａとなる。腹側部Ａ及び背側部Ｂにおいては、防漏カフ１６の長手方向Ｙにおける延長線上の前後端部域において、図７（ｂ）に示すとおり、半部２２ｂは、これと対向する残りの半部２２ａと対向面の全域において接合され、接合領域を形成している。したがって、腹側部Ａ及び背側部Ｂにおいては、防漏カフ用シート１４の該接合領域の幅方向内方端部１７は折り線２１の位置となる。また、腹側部Ａ及び背側部Ｂにおいては、弾性部材１６ｃの固定部は、股下部Ｃにおける防漏カフ１６の基端部１６ｂの位置と略同位置にあるか、又は該基端部１６ｂよりも幅方向Ｘの外方に位置する。
【００３７】
以上の構成を有する半製品パッド１０’においては、先に述べた実施形態と同様に、サイド開口部１３ａを折曲誘導部として用い、該サイド開口部１３ａよりも幅方向Ｘの外方に位置する表面シート１１、吸収体１３及び裏面シート１２を、表面シート１１の上面側に向けて折り返す。そして折り返し内部において対向する表面シート１１どうしを、長手方向Ｙに沿って接合して接合部を形成する。その結果、幅方向Ｘの両側域において吸収体１３が二段重ねになった構造をしており、かつ二段重ねになった該吸収体１３の上に基端部１６ｂを有する防漏カフ１６が起立する。
【００３８】
以上、本発明をその好ましい実施形態に基づき説明したが、本発明は前記実施形態に制限されない。例えば前記実施形態においては、半製品パッド１０’の左右両側域を表面シート１１の上面側に折り返すときに、表面シート１１、吸収体１３及び裏面シート１２を一体的に折り返したが、これに代えて、少なくとも表面シート１１のみを折り返しても、防漏カフ１６の高さを増すことができる効果は奏される。
【００３９】
また前記実施形態においては、吸収体１３に、一対のサイド開口部１３ａ及び中央開口部１３ｂの３つの開口部が設けられていたが、これに代えて、４つ以上の開口部を設けてもよい。あるいは、一対のサイド開口部１３ａ及び中央開口部１３ｂのうちのどちらかを設けなくてもよい。更に、吸収体１３に開口部を全く設けなくてもよい。
【００４０】
また、以上の各実施形態は、本発明の吸収性パッドを尿取りパッドに適用した例であるが、本発明はこれ以外の形態の吸収性パッドにも同様に適用することができる。例えば失禁用の吸水ナプキンや、生理用ナプキンに本発明を適用することができる。
【００４１】
上述した実施形態に関し、本発明は更に以下の吸収性パッドを開示する。
＜１＞  長手方向及びそれと直交する幅方向を有し、長手方向の中央域に位置する股下部、並びに該股下部から長手方向の前後に向けて延出する腹側部及び背側部を備え、肌に近い側に位置する表面シート、肌から遠い側に位置する裏面シート、及び両シート間に配置された液吸収性の吸収体を具備する吸収性パッドであって、
前記長手方向に沿う左右両側域に、防漏カフ用シートを有し、
前記防漏カフ用シートは少なくとも前記股下部において基端部と自由端部とを有する一対の防漏カフを有し、
前記防漏カフの前記長手方向における延長線上であって、少なくとも前記腹側部及び前記背側部の一部において、前記防漏カフ用シートは接合領域を有し、
前記パッドは、前記長手方向に延びる左右両側域における少なくとも前記股下部に、少なくとも前記表面シートが、該表面シート上面側に向けて折り返された折り返し部を有し、
前記折り返し部においては、前記表面シートどうしが折り返されて対向当接している折り返し内部を有し、
前記折り返し内部においては、前記表面シートどうしが接合部において接合されており、
前記折り返しを行う前の半製品においては、前記防漏カフの前記基端部が、前記表面シート上に位置するとともに前記長手方向に延びており、かつ前記腹側部及び前記背側部における前記接合領域の幅方向内方端部の位置が、前記股下部における該基端部の位置よりも前記幅方向内方に位置しており、
前記折り返しを行った後の前記パッドにおいては、前記折り返し部の前記接合部は、前記腹側部及び前記背側部における前記接合領域の前記幅方向内方端部の位置と同位置にあるか、又は該防漏カフの該基端部の位置よりも前記幅方向内方に位置している吸収性パッド。
【００４２】
＜２＞  前記パッドは、前記長手方向に延びる左右両側域における少なくとも前記股下部に、前記表面シート、前記吸収体及び前記裏面シートが、該表面シート上面側に向けて折り返された前記折り返し部を有する前記＜１＞に記載の吸収性パッド。
＜３＞  前記折り返し内部に前記防漏カフを形成するシートが存在していない前記＜１＞又は＜２＞に記載の吸収性パッド。
＜４＞  前記吸収体は、前記長手方向に延びる折曲誘導部を有する前記＜１＞ないし＜３＞のいずれか１に記載の吸収性パッド。
＜５＞  前記吸収体が前記折曲誘導部に沿って折り曲げられて前記折り返し部が形成されている前記＜４＞に記載の吸収性パッド。
【００４３】
＜６＞  前記折曲誘導部が細長い溝状の低坪量部である前記＜４＞又は＜５＞に記載の吸収性パッド。
＜７＞  前記折曲誘導部が細長い溝状の圧搾部である前記＜４＞又は＜５＞に記載の吸収性パッド。
＜８＞  前記折曲誘導部が開口である前記＜４＞又は＜５＞に記載の吸収性パッド。
＜９＞  前記折曲誘導部が連続又は不連続に形成される前記＜４＞ないし＜８＞のいずれか１に記載の吸収性パッド。
＜１０＞  前記折曲誘導部の幅は、それぞれ独立に、５ｍｍ以上、好ましくは１０ｍｍ以上である前記＜４＞ないし＜９＞のいずれか１に記載の吸収性パッド。
【００４４】
＜１１＞  前記折曲誘導部の幅は、それぞれ独立に、１００ｍｍ以下、好ましくは５０ｍｍ以下である前記＜４＞ないし＜１０＞のいずれか１に記載の吸収性パッド。
＜１２＞  前記折曲誘導部の長さは、それぞれ独立に、５０ｍｍ以上、好ましくは１００ｍｍ以上である前記＜４＞ないし＜１１＞のいずれか１に記載の吸収性パッド。
＜１３＞  前記折曲誘導部の長さは、それぞれ独立に、３００ｍｍ以下、好ましくは１５０ｍｍ以下である前記＜４＞ないし＜１２＞のいずれか１に記載の吸収性パッド。
＜１４＞  前記折曲誘導部は、少なくとも股下部の長さにわたって形成されている前記＜４＞ないし＜１３＞のいずれか１に記載の吸収性パッド。
【００４５】
＜１５＞  前記折曲誘導部は、長手方向の前端縁及び後端端が腹側部及び背側部に達している前記＜１４＞に記載の吸収性パッド。
＜１６＞  前記折曲誘導部とは別に、前記吸収体の幅方向略中央部に、前記長手方向に延びる中央折曲誘導部を有する前記＜４＞ないし＜１５＞のいずれか１に記載の吸収性パッド。
＜１７＞  前記折曲誘導部と前記中央折曲誘導部の長さが異なっている前記＜１６＞に記載の吸収性パッド。
＜１８＞  前記折曲誘導部よりも前記中央折曲誘導部の方が、長さが長い前記＜１７＞に記載の吸収性パッド。
【００４６】
＜１９＞  前記折曲誘導部と前記中央折曲誘導部の長さが同じである前記＜１６＞に記載の吸収性パッド。
＜２０＞  前記防漏カフ用のシートは、長手方向に沿って半製品パッドの全長にわたっている外方側接合領域と、腹側部の端部域及び背側部の端部域において長手方向に沿って延びる内方側接合領域とによって、表面シート及び裏面シートの少なくとも一方に接合されている前記＜１＞ないし＜１９＞のいずれか１に記載の吸収性パッド。
＜２１＞  前記外方側接合領域は、内方側接合領域よりも幅方向の外方に位置している前記＜２０＞に記載の吸収性パッド。
＜２２＞  前記折り返し部は、股下部のみに形成される前記＜１＞ないし＜２１＞のいずれか１に記載の吸収性パッド。
【００４７】
＜２３＞  前記接合部は、長手方向に延びて形成される前記＜１＞ないし＜２２＞のいずれか１に記載の吸収性パッド。
＜２４＞  前記接合部は、直線状又は曲線状に連続又は不連続である前記＜１＞ないし＜２３＞のいずれか１に記載の吸収性パッド。
＜２５＞  前記接合部は、接着剤による接着又は融着で形成されている前記＜１＞ないし＜２４＞のいずれか１に記載の吸収性パッド。
＜２６＞  前記接合部が接合されている程度は、対向当接している面積に対して５％以上とすることが好ましく、２０％以上であることが更に好ましい前記＜１＞ないし＜２５＞のいずれか１に記載の吸収性パッド。
【００４８】
＜２７＞  前記接合部が接合されている程度は、対向当接している面積に対して１００％であり、好ましくは９０％以下、特に好ましくは８０％以下である前記＜１＞ないし＜２６＞のいずれか１に記載の吸収性パッド。
＜２８＞  厚み方向において、前記防漏カフの前記基端部、前記表面シート、前記吸収体の順に積層されている＜１＞ないし＜２７＞のいずれか１に記載の吸収性パッド。
＜２９＞  前記吸収体が、前記長手方向に延びる折曲誘導部を有し、
前記吸収体のうち、前記折曲誘導部よりも前記幅方向の外方に位置する部分である側方吸収体が、前記表面シート上面側に向けて折り返されており、
折り返された前記側方吸収体のうち、側縁寄りに位置する部位が、前記表面シート及び前記裏面シートとともに、幅方向の外方に向けて折り返され、前記折曲誘導部寄りに位置する部位の上に重ねられている前記＜１＞ないし＜２８＞のいずれか１に記載の吸収性パッド。
＜３０＞  前記吸収体が二重に折り返されて三段重ねになった部位が、前記股下部のみに形成されている前記＜２９＞に記載の吸収性パッド。
＜３１＞  前記側方吸収体が折り返された折り返し内部では、折り返された前記裏面シートどうしの少なくとも一部が接合されている前記＜２９＞又は＜３０＞に記載の吸収性パッド。
【００４９】
＜３２＞  折り返し内部では、折り返された前記裏面シートどうしの対向当接領域のすべてが接合されている前記＜３１＞に記載の吸収性パッド。
＜３３＞  前記接合部は、長手方向に延びて形成される＜３１＞又は＜３２＞に記載の吸収性パッド。
＜３４＞  長手方向に長い防漏カフ用のシートを、該長手方向に延びる折り線に沿って二つ折りするとともに、該折り線が該防漏カフ用のシートの側縁よりも幅方向の内方に位置するように表面シート上に配置し、
二つ折りされた防漏カフ用シートのうち、表面シートと対向する側の半部を、該表面シート、及び裏面シートのうち、吸収体の側縁から延出した部位と接合して前記半製品が形成されている前記＜１＞ないし＜３３＞のいずれか１に記載の吸収性パッド。
＜３５＞  前記吸収性パッドが尿取りパッドである前記＜１＞ないし＜３４＞のいずれか１に記載の吸収性パッド。
【符号の説明】
【００５０】
１０  尿取りパッド
１０’半製品パッド
１１  表面シート
１２  裏面シート
１３  吸収体
１３ａ  サイド開口部
１３ｂ  中央開口部
１４  防漏カフ用シート
１５ａ  外方側接合領域
１５ｂ  内方側接合領域
１６  防漏カフ
１６ａ  自由端部
１６ｂ  基端部
１６ｃ  弾性部材
１７  幅方向内方端部
１８  折り返し部
１９  接合部
２０  側方吸収体
２１  折り線
【図１】
2014083132.tif 000003
【図２】
2014083132.tif 000004
【図３】
2014083132.tif 000005
【図４】
2014083132.tif 000006
【図５】
2014083132.tif 000007
【図６】
2014083132.tif 000008
【図７】
2014083132.tif 000009